(57)【要約】【課題】　１つの駆動源で計測値表示針及び最大又は最小値表示針を作動させて、製品コストを抑えることのできるアナログ計測器を提供する。【解決手段】　現在の計測水深値を表示する水深針２８と、最大最小計測水深位置に置かれて最大最小計測水深値を示す最大水深表示針３０とを備え、水深針２８は、駆動源に接続されて回転可能とされ、最大水深表示針３０は、水深針２８の回転に伴って回転可能とされ、かつ、計測途中で記録した最大計測水深位置に位置決め可能とされている。【選択図】　　　図１
2004125806.tif 000002
【特許請求の範囲】
【請求項１】
　計測手段により計測される計測値を表示する計測値表示針と、前記計測値表示針と連動して計測値の増加方向あるいは減少方向のみに運針可能な最大又は最小値表示針と、前記計測値表示針を駆動する輪列と、前記輪列を駆動する駆動源と、前記計測手段による計測結果と前記計測値表示針の表示位置を一致させて前記駆動源を制御する制御手段とを備えたアナログ計測器であって、
　通常の表示モードと他の表示モードを選択可能な入力手段と、
　前記計測手段により計測した計測値の中で最大又は最小値を記憶する最大又は最小値記憶手段と、
　前記計測手段により計測した計測値に対して特定の演算を行う演算手段と、
　前記演算結果を記憶する計算結果記憶手段とを備え、
　前記制御手段は、前記入力手段により通常の表示モードが選択された場合に前記計測手段による計測結果と前記計測値表示針の表示位置を一致させて前記駆動源を制御し、前記入力手段により他の表示モードが選択された場合に、前記計測値表示針の位置を、一旦、前記最大又は最小値記憶手段に記憶された最大又は最小値と一致させた後、前記計算結果記憶手段と一致させて前記駆動源を制御し、前記最大又は最小値記憶手段に記憶された値と、前記計算結果記憶手段に記憶された値を同時に表示することを特徴とするアナログ計測器。
【請求項２】
　経過時間を測定する計時手段と、
　前記計時手段により計時された時間情報を表示する時間情報表示針と、
　前記時間情報表示針を駆動する第２の輪列と、
　前記第２の輪列を駆動する第２の駆動源と、
　前記計時手段により計測した時間情報を記憶する時間情報記憶手段とを備え、
　前記制御手段は前記入力手段により他の表示モードが選択された場合に、前記時間情報表示針の位置を前記時間情報記憶手段に記憶された値と一致させて前記第２の駆動源を制御し、前記最大又は最小値記憶手段に記憶された最大又は最小値と、前記計算結果記憶手段に記憶された値と、前記時間情報記憶手段に記憶された値を同時に表示することを特徴とする請求項１記載のアナログ計測器。
【請求項３】
　時刻を計時する時刻計時手段と、
　前記時刻計時手段により計測された時刻を表示する時刻表示針と、
　前記時刻表示針を駆動する第３の輪列と、
　前記第３の輪列を駆動する第３の駆動源と、
　前記計測手段が動作を開始した時刻を記憶する計測開始時刻記憶手段とを備え、
　前記制御手段は、前記入力手段により他の表示モードが選択された場合に、前記時刻表示針の位置を前記計測開始時刻記憶手段に記憶された値と一致させて前記第３の駆動源を制御し、
　前記最大又は最小値記憶手段に記憶された最大又は最小値と、前記計算結果記憶手段に記憶された値と、前記計測開始時刻記憶手段に記憶された値を同時に表示することを特徴とする請求項１記載のアナログ計測器。
【請求項４】
　前記入力手段は、前記他の表示モードにおいて前記最大又は最小値記憶手段又は前記計算結果記憶手段に記憶された各データを選択して指針表示するための複数種類の表示モードの選択が可能とされ、
　前記制御手段は、前記入力手段により前記最大又は最小値記憶手段あるいは計算結果記憶手段に記憶されたデータの表示モードが選択された場合に、入力された表示モードに応じて前記各記憶手段を選択し、選択された前記各記憶手段に記憶された計測値と前記計測値表示針の表示位置を一致させて前記駆動源を制御可能とされると共に、
　前記入力手段により前記各記憶手段の表示モードが選択された場合に確認音を鳴鐘させる確認音鳴鐘手段と、
　前記入力手段により選択された前記各記憶手段の表示モードに対応した種類の鳴鐘音を前記確認音鳴鐘手段より生じさせる確認音制御手段を備えることを特徴とする請求項１記載のアナログ計測器。
【請求項５】
　前記入力手段は、設定された入力の回数に応じて前記各記憶手段の表示モードを選択可能とされ、
　前記制御手段は、前記入力手段からの入力の回数に応じて、選択された前記各記憶手段に記憶された計測値と前記計測値表示針の表示位置を一致させて前記駆動源を制御し、前記入力手段の設定入力回数を越えて入力された場合に、前記計測値表示針を計測値位置における表示をさせて制御を行うことを特徴とする請求項４記載のアナログ計測器。
【請求項６】
　時刻を計時する時刻計時手段と、
　前記時刻計時手段により計測された時刻を表示する時刻表示針と、
　前記時刻表示針を駆動する第３の輪列と、
　前記輪列を駆動する第３の駆動源とを備え、
　前記制御手段は前記時刻表示針に前記計測手段が動作していない時には時刻計時手段による計測値を表示させ、前記計測手段動作中には前記計測手段が動作を開始した時刻を表示させて前記第３の駆動源を制御することを特徴とする請求項１記載のアナログ計測器。
【請求項７】
　計測手段により計測値を測定し、
　前記計測手段により測定した計測値を、駆動源により輪列を介し計測値表示針を駆動させて表示し、
　前記計測手段により測定した最大又は最小値を最大又は最小値表示針にて表示すると共に、
　前記計測手段による計測結果と前記計測値表示針の表示位置とを、制御手段により前記駆動源を制御して一致させ、
　前記最大又は最小値表示針を前記計測値表示針と連動させて前記計測値の増加方向又は減少方向のみに運針させるアナログ計測器の表示方法であって、
　前記計測手段により計測した計測値の中で最大又は最小値を最大又は最小値記憶手段に記憶させ、
　前記計測手段により計測した計測値に対して演算手段により特定の演算を行い、
　前記演算結果を計算結果記憶手段に記憶させ、
　通常の表示モードと他の表示モードを有する入力手段により通常の表示モードが選択された場合に、前記制御手段により前記計測手段による計測結果と前記計測値表示針の表示位置を一致させて前記駆動源を制御し、
　前記入力手段により他の表示モードが選択された場合に、前記制御手段により前記測定値表示針の位置が、一旦、前記最大値あるいは最小値記憶手段に記憶された最大又は最小値と一致させた後、前記計算結果記憶手段に記憶された値と一致させて前記駆動源を制御し、前記最大又は最小値記憶手段に記憶された値と、前記計算結果記憶手段に記憶された値を同時に表示することを特徴とするアナログ計測器の表示方法。
【発明の詳細な説明】
【技術分野】
【０００１】
　本発明は、アナログ計測器及びアナログ計測器の表示方法に関し、例えば、水深計、気圧計、高度計、温度計などにおいて最大又は最小値と現在の計測値を表示するアナログ計測器及びアナログ計測器の表示方法に関する。
【背景技術】
【０００２】
　従来、アナログ計測器、例えば、ダイバーズ用の水深計などにおいて、水深を計測表示する場合、現在の水深値を表示する計測値表示針と、計測途中で記録した最大水深値を表示する最大値表示針とを有するものが知られている。
【０００３】
　このような、水深計においては、現在の水深値を表示する計測値表示針を作動させるモータと、最大水深値を表示する最大値表示針を作動させるモータとを用い、それぞれのモータで計測値表示針及び最大値表示針を回転させると共に、最大値表示針は計測途中において記録した最大水深値の位置で位置決めされるようになっている。
【０００４】
　また、計測値の最大値あるいは最小値と計測値の平均値と、計測値の演算結果を記憶及び呼び出し表示する従来のアナログ計測器は、同一目盛上に最大値あるいは最小値と演算結果を表示する場合でも、それぞれの表示針の駆動を別々の独立した駆動源を使用して実行していた。また、従来は、計測が一度も行われていない状態では呼出表示ができないか、呼出表示される表示値が０又は最小値であった。
【０００５】
　さらに、従来の複数の計測値又は計測値から演算される複数のデータを呼び出し表示可能なアナログ計測器においては、データの呼び出し時に確認音等の鳴鐘がないか、あるいはあっても一定の確認音を鳴鐘させていた。
【０００６】
　また、一定周期で計測を行う従来のアナログ計測器においては、計測の周期内で表示針の駆動が終了しなかった場合でも、表示針の駆動と計測を時間的に重ねて実行するか、あるいは表示針の駆動を一旦停止して計測を実行していた。また、従来は、計測を強制的に中断するための操作として、スイッチの同時押し等の入力を採用していた。
【発明の開示】
【発明が解決しようとする課題】
【０００７】
　前記従来の水深計などのアナログ計測器にあっては、計測値表示針及び最大値表示針をそれぞれ別々のモータにて作動させるため、使用するモータの個数が増加して、製品コストが高くついてしまうという問題があった。
【０００８】
　これに対し、１つのモータで計測値表示針及び最大値表示針の双方を作動させ、最大値表示位置で最大値表示針をおいてくることにより、モータの数を減らして、製品コストを下げることが考えられる。
【０００９】
　しかし、この場合には、最大値表示針が振動、衝撃等により表示位置からずれるのを防止するために、最大値表示針に位置ずれ防止のための大きな位置決め用負荷を加える必要があり、この最大値表示針に負荷を加えると、計測値表示針も負荷の加わった状態で作動させなくてはならず、それだけ消費電力が大きくなってしまうという問題があった。
【００１０】
　本発明は、前記従来の問題に着目してなされたもので、その主たる目的は、１つの駆動源で計測値表示針及び最大又は最小値表示針を作動させて、製品コストを抑えることのできるアナログ計測器を提供することにある。また、最大又は最小値表示針に多大な負荷を加えることなく、振動、衝撃等による位置ずれを防止することのできるアナログ計測器を提供することにある。
【００１１】
　さらに、従来のアナログ計測器には、計測値の最大値あるいは最小値と計測値の平均値と、計測値の演算結果を記憶及び呼び出し表示するアナログ計測器は、同一目盛上に最大値あるいは最小値と演算結果を表示する場合でも、それぞれのの表示針の駆動を別々の独立した駆動源を使用して実行していたため、多数の駆動源を必要とするという問題点があった。そこで本発明では、最大値あるいは最小値の呼び出し表示を計測値表示針と連動して表示値の増加方向のみに運針可能な最大値表示針あるいは減少方向にのみ運針可能な最小値表示針により行うことによって、表示に必要な駆動手段の数を減らすことを別の目的とするものである。
【００１２】
　また、計測値又はそれに付随したデータを記憶及び呼び出し表示する従来のアナログ計測器では、計測が実行されていないときには呼出表示が実行されないか、表示される値が不定か０か計測可能な最小値のいずれかであったため、計測を実行するまで呼出表示の機能が正常に働くか確認できず、また、操作方法を覚えたり、操作説明のために呼出機能を実行することができないという問題点があった。そこで本発明は計測値又は計測値の演算結果を呼出表示するアナログ計測器において、計測が未実行でも通常の呼出表示を実行可能とすることをさらに別の目的とする。
【００１３】
　また、計測値とその最大値あるいは最小値を表示する従来のアナログ計測器に時間情報も同時に表示するものはなかったため、計測を開始してからの時間などの情報を呼び出し表示できないという問題点があった。そこで本発明は、計測値と最大又は最小値を表示するアナログ計測器で、時間情報表示針により計測開始からの時間情報を表示することをさらに別の目的とするものである。
【００１４】
　また、計測値の最大値あるいは最小値と、計測値の平均値と、計測値の演算結果を記憶及び呼び出し表示する従来のアナログ計測器に時間情報も同時に記憶呼び出し表示するものはなかったため、計測を継続していた時間などの情報を呼び出し表示できないという問題点があった。そこで本発明は、計測値の最大又は最小値と、計測値の平均値と、計測値の演算結果を表示するアナログ計測器で、時間情報表示針により計測継続していた時間などの時間情報を表示することをさらに別の目的とするものである。
【００１５】
　また、計測値とその最大値あるいは最小値を表示する従来のアナログ計測器に時刻情報も同時に表示するものはなかったため、計測を開始した時刻などの情報を呼び出し表示できないという問題点があった。そこで本発明は、計測値と最大又は最小値とを表示するアナログ計測器で、時刻表示針により計測を開始した時刻などの時刻情報を表示することをさらに別の目的とするものである。
【００１６】
　また、計測値の最大値あるいは最小値と計測値の平均値と、計測値の演算結果を記憶及び呼び出し表示する従来のアナログ計測器に時刻情報も同時に記憶呼び出し表示するものはなかったため、計測を開始した時刻などの情報を呼び出し表示できないという問題点があった。そこで本発明は、計測値の最大又は最小値と、計測値の平均値と、計測値の演算結果とを表示するアナログ計測器で、時刻表示針により時刻情報を表示することをさらに別の目的とするものである。
【００１７】
　また、計測値表示針と連動して計測値の増加方向のみに運針可能な最大値表示針あるいは減少方向にのみ運針可能な最小値表示針を設けようとする場合、計測値表示針の初期位置を設定する際に、計測値表示針と最大又は最小値表示針の位置を自動的に一致させる手段がないと、自動操作で一致させなければならないという問題点があった。そこで本発明は最大値表示針あるいは最小値表示針の初期位置の設定を容易にすることをさらに別の目的とするものである。
【００１８】
　また、複数の計測値又は計測値から演算される複数のデータを呼び出し表示可能な従来のアナログ計測器においては、データの呼び出し時に確認音等の鳴鐘がないか、あるいはあっても一定の確認音の鳴鐘のみしかないため、どのデータが呼び出されたのか知るためには使用者が呼び出しのための入力回数を数えなければならないという問題点があった。そこで本発明は呼び出されたデータに対応した種類又は回数の確認音を鳴鐘することにより、使用者が呼び出したデータが何であるか確認できるようにすることをさらに別の目的とするものである。
【００１９】
　また、複数の計測値又は計測値から演算される複数のデータを呼び出し表示可能な従来のアナログ計測器においては、計測値のすべてのデータの呼び出しを終了した後の同一の入力手段により表示を通常状態に戻す機能がなかったため、通常状態に戻るのに特別な操作を必要とするという問題点があった。そこで本発明はデータの呼び出しと同一の操作を継続するだけで表示を通常の状態に戻すことをさらに別の目的とするものである。
【００２０】
　また、一定周期で計測を行う従来のアナログ計測器においては、計測の周期内で計測値表示針の駆動が終了しなかった場合でも、表示針の駆動と計測を時間的に重ねて実行するか、あるいは表示針の駆動を一旦停止して計測を実行していたため、表示針を駆動する際に発生するノイズで計測が不正確になったり、表示針の駆動と計測を同時に実行することにより電源容量が不足したり、表示が計測値に追いつくのに時間がかかると言う問題点があった。そこで本発明は表示針の表示が計測値と一致するまで計測を禁止することにより、表示針を駆動する際に発生するノイズで計測が不正確になることを防ぎ、表示針の駆動と計測を同時に実行することにより電源容量が不足することを防ぎ、表示が計測値に追いつくのにかかる時間を短縮することをさらに別の目的とするものである。
【００２１】
　また、一定周期で計測を行う従来のアナログ計測器においては、計測を強制的に中断するための操作として、スイッチの同時押し等の入力を採用していたため、誤操作により計測を中断してしまうことがあるという問題点があった。そこで本発明は計測の強制的な中断をリューズに連動したスイッチにより実行することにより誤操作により計測が中断されることを防ぐことをさらに別の目的とするものである。
【課題を解決するための手段】
【００２２】
　前記目的を達成するため、第１の発明にかかるアナログ計測器は、
　計測手段により計測される計測値を表示する計測値表示針と、
　前記計測値表示針と連動して計測値の増加方向あるいは減少方向のみに運針可能な最大又は最小値表示針と、
　前記計測値表示針を駆動する輪列と、
　前記輪列を駆動する駆動源と、
　前記計測手段による計測結果と前記計測値表示針の表示位置を一致させて前記駆動源を制御する制御手段を備えたことを特徴とする。
【００２３】
　前記構成の、第１の発明にあっては、計測値とその最大値あるいは最小値を表示するアナログ計測器において、両方の表示針の駆動を単一の駆動源を使用して実行することができる。そのためアナログ計測器の構成を簡略化でき、小型化、低コスト化がなし得る。また、比較的大きな体積を占める駆動源の数が減少することにより、レイアウト設計の自由度も増加することとなる。
【００２４】
　また、計測値の最大又は最小値と、計測値の平均値と、計測値の演算結果とを記憶及び呼び出し表示するアナログ計測器において、両方の表示針の駆動を単一の駆動源を使用して実行することができる。そのためアナログ計測器の構成を簡略化でき、小型化、低コスト化が可能となる。また、比較的大きな体積を占める駆動源の数が減少することにより、レイアウト設計の自由度も増加する。
【００２５】
　第２の発明は、第１の発明において、
　経過時間を測定する計時手段と、
　前記計時手段により計時された時間情報を表示する時間情報表示針と、
　前記時間情報表示針を駆動する第２の輪列と、
　前記第２の輪列を駆動する第２の駆動源と、
　前記計時手段により計測した時間情報を記憶する時間情報記憶手段とを備え、
　前記制御手段は前記入力手段により他の表示モードが選択された場合に、前記時間情報表示針の位置を前記時間情報記憶手段に記憶された値と一致させて前記第２の駆動源を制御し、前記最大又は最小値記憶手段に記憶された最大又は最小値と、前記計算結果記憶手段に記憶された値と、前記時間情報記憶手段に記憶された値を同時に表示することを特徴とする。
【００２６】
　また、第２の発明にあっては、計測値の最大値あるいは最小値と、計測値の平均値と、計測値の演算結果とを記憶及び呼び出し表示するアナログ計測器において、時間情報も同時に記憶呼び出し表示することができ、計測値、最大又は最小値及び演算結果に加えて時間情報も容易に把握することができる。そのため、アナログ計測器の商品展開の幅を広げることが可能となる。
【００２７】
　第３の発明は、第１の発明において、
　時刻を計時する時刻計時手段と、
　前記時刻計時手段により計測された時刻を表示する時刻表示針と、
　前記時刻表示針を駆動する第３の輪列と、
　前記第３の輪列を駆動する第３の駆動源と、
　前記計測手段が動作を開始した時刻を記憶する計測開始時刻記憶手段とを備え、
　前記制御手段は、前記入力手段により他の表示モードが選択された場合に、前記時刻表示針の位置を前記計測開始時刻記憶手段に記憶された値と一致させて前記第３の駆動源を制御し、
　前記最大又は最小値記憶手段に記憶された最大又は最小値と、前記計算結果記憶手段に記憶された値と、前記計測開始時刻記憶手段に記憶された値を同時に表示することを特徴とする。
【００２８】
　また、第３の発明にあっては、計測値の最大値あるいは最小値と計測値の平均値と、計測値の演算結果とを記憶及び呼び出し表示するアナログ計測器において、計測を開始した時刻などの情報を呼び出し表示ができ、使用者が計測開始時刻などの情報を容易に確認できる。そのため、アナログ計測器の商品展開の幅を広げることが可能となる。
【００２９】
　第４の発明は、第１の発明において、
　前記入力手段は、前記他の表示モードにおいて前記最大又は最小値記憶手段又は前記計算結果記憶手段に記憶された各データを選択して指針表示するための複数種類の表示モードの選択が可能とされ、
　前記制御手段は、前記入力手段により前記最大又は最小値記憶手段あるいは計算結果記憶手段に記憶されたデータの表示モードが選択された場合に、入力された表示モードに応じて前記各記憶手段を選択し、選択された前記各記憶手段に記憶された計測値と前記計測値表示針の表示位置を一致させて前記駆動源を制御可能とされると共に、
　前記入力手段により前記各記憶手段の表示モードが選択された場合に確認音を鳴鐘させる確認音鳴鐘手段と、
　前記入力手段により選択された前記各記憶手段の表示モードに対応した種類の鳴鐘音を前記確認音鳴鐘手段より生じさせる確認音制御手段を備えることを特徴とする。
【００３０】
　また、第４の発明にあっては、複数の計測値又は計測値から演算される複数のデータを呼び出し表示可能なアナログ計測器において、呼び出されたデータに対応した種類の確認音を鳴鐘することにより、使用者が呼び出したデータが何であるか容易に確認できる。そのため、呼び出されたデータを確認するための操作が簡略化され、操作性を大幅に向上させることができる。
【００３１】
　第５の発明は、第４の発明において、
　前記入力手段は、設定された入力の回数に応じて前記各記憶手段の表示モードを選択可能とされ、
　前記制御手段は、前記入力手段からの入力の回数に応じて、選択された前記各記憶手段に記憶された計測値と前記計測値表示針の表示位置を一致させて前記駆動源を制御し、前記入力手段の設定入力回数を越えて入力された場合に、前記計測値表示針を計測値位置における表示をさせて制御を行うことを特徴とする。
【００３２】
　また、第５の発明にあっては、複数の計測値又は計測値から演算される複数のデータを設定された入力の回数に応じて呼び出し表示可能なアナログ計測器において、データの呼び出しと同一の操作を継続するだけで容易に表示を通常の状態に戻すことができる。そのため、データの呼出し、表示後に通常の状態に戻す操作が簡略化され、操作性を大幅に向上させることができる。
【００３３】
　第６の発明は、第１の発明において、
　時刻を計時する時刻計時手段と、
　前記時刻計時手段により計測された時刻を表示する時刻表示針と、
　前記時刻表示針を駆動する第３の輪列と、
　前記輪列を駆動する第３の駆動源とを備え、
　前記制御手段は前記時刻表示針に前記計測手段が動作していない時には時刻計時手段による計測値を表示させ、前記計測手段動作中には前記計測手段が動作を開始した時刻を表示させて前記第３の駆動源を制御することを特徴とする。
【００３４】
　また、第６の発明にあっては、計測値とその最大値あるいは最小値を表示するアナログ計測器において、時刻情報も同時に表示でき、使用者が時刻情報を容易に把握することができる。そのため、アナログ計測器の商品展開の幅を広げることが可能となる。
【００３５】
　第７の発明にかかるアナログ計測器の表示方法は、
　計測手段により計測値を測定し、
　前記計測手段により測定した計測値を、駆動源により輪列を介し計測値表示針を駆動させて表示し、
　前記計測手段により測定した最大又は最小値を最大又は最小値表示針にて表示すると共に、
　前記計測手段による計測結果と前記計測値表示針の表示位置とを、制御手段により前記駆動源を制御して一致させ、
　前記最大又は最小値表示針を前記計測値表示針と連動させて前記計測値の増加方向又は減少方向のみに運針させるアナログ計測器の表示方法であって、
　前記計測手段により計測した計測値の中で最大又は最小値を最大又は最小値記憶手段に記憶させ、
　前記計測手段により計測した計測値に対して演算手段により特定の演算を行い、
　前記演算結果を計算結果記憶手段に記憶させ、
　通常の表示モードと他の表示モードを有する入力手段により通常の表示モードが選択された場合に、前記制御手段により前記計測手段による計測結果と前記計測値表示針の表示位置を一致させて前記駆動源を制御し、
　前記入力手段により他の表示モードが選択された場合に、前記制御手段により前記測定値表示針の位置が、一旦、前記最大値あるいは最小値記憶手段に記憶された最大値あるいは最小値と一致させた後、前記計算結果記憶手段と一致させて前記駆動源を制御し、前記最大又は最小値記憶手段に記憶された値と、前記計算結果記憶手段に記憶された値を同時に表示することを特徴とする。
【００３６】
　また、第７の発明にあっては、このようなアナログ計測器の表示方法を用いることにより、第１の発明と同様の結果を得ることができる。
【００３７】
　また、計測値とその最大又は最小値を表示するアナログ計測器において、計測を開始してからの時間などの時間情報を呼び出し表示することができ、使用者が時間情報等を容易に把握することができる。そのため、アナログ計測器の商品展開の幅を広げることが可能となる。
【発明を実施するための最良の形態】
【００３８】
　以下、本発明の好適な実施例について、図面を参照して説明する。
【００３９】
　図１〜図１０は、本発明のアナログ計測器の置き針表示装置をダイバーズウオッチの水深計に応用した一実施例を示す図である。
【００４０】
　本実施例のダイバーズウオッチは、図１に示すように、中心に時針１０、分針１２を配し、周囲に２４時針１４、小秒針１６、アラーム時針１８、アラーム分針２０、日付表示２２をそれぞれ配設し、通常の時計表示を行うようになっている。
【００４１】
　また、中心に時間情報表示針としての潜水時間表示針２４が配設されて、潜水時間が表示されるようになっている。
【００４２】
　さらに、周囲に１／１０ｍ針２６、中心に現在の計測値を表示する計測値表示針としての水深針２８及び最大値表示針としての最大水深表示針３０が配設され、これら１／１０ｍ針２６、水深針２８及び最大水深表示針３０が水深計を構成するようになっている。１／１０ｍ針２６は、１ｍで１回転し、この１／１０ｍ針２６の１回転毎に水深計２８が１分ずつ回転して、現在の計測値である水深計測値を表示するようになっている。最大水深表示針３０は、水深針２８とともに回転し、計測途中で記録した最大計測位置に置かれて位置決めされ、最大水深値を表示する置き針となっている。
【００４３】
　このように、潜水時間表示針２４による潜水時間、水深針２８及び１／１０ｍ針２６による現在の水深計測値、最大水深表示針３０による最大水深値などの潜水情報が得られるようになっている。また、アラーム時針１８及びアラーム分針２０は、時刻表示針を構成し、スタート時に潜水開始時刻を表示するようになっており、また浮上速度の警告も行われるようになっている。なお、３２、３４及び３５はボタンである。３４は図１２のプッシュスイッチＢ（ＰＳＷ−Ｂ）９１５に連動したボタンである。３７は水感知スイッチ、３９、４１はねじロック式のリューズであり、何れも公知の働きをする。
【００４４】
　次に、水深計を構成する水深針２８及び最大水深表示針３０を作動させる置き針表示装置について、図２及び図３を中心に説明する。
【００４５】
　この置き針表示装置は、水深針２８に接続した計測値表示車３６と、最大水深表示針３０に接続した最大値表示車３８と、計測値表示車３６及び最大値表示車３８を連動可能にする規正カム４０と、規正カム４０を位置決めする押え板４２とを備えている。
【００４６】
　計測値表示車３６は、歯車４４、４６を介して、図示せぬ駆動源としてのモータに接続され、このモータによって正逆回転可能にされ、この計測値表示車３６の回転によって水深針２８が正逆回転可能にされている。また、この計測値表示車３６は、図７にも示すように、両端が非接続状態の環状の回転用スリット４８と、回転用スリット４８の両端に形成した規正カム４０の位置決め・解除用の溝部５０とを備えている。回転用スリット４８は、規正カム４０に設けた後述の回転係合ピン６４の直径にほぼ相応し、少し大きな幅で形成されている。溝部５０は、回転用スリット４８の両端に形成したもので、中心側に向けて凹んだ状態とされるとともに、その内側の面には、規正カム４０の回転係合ピン６４を外側に徐々に押し付ける所定傾斜角度の傾斜押圧部５２が形成されている。
【００４７】
　最大値表示車３８は、計測値表示車３６の下方に配設され、計測値表示車３６と同軸上で独立回転可能にされ、この最大値表示車３８の回転により最大水深表示針３０を回転させるようになっている。また、この最大値表示車３８は、図８にも示すように、中心部上面に突出形成した規正カム４０と係合するカム係合部５４と、外周部付近上面に設けられた規正カム４０を径方向外側に付勢するカム付勢手段としての板バネ５６とを備えている。カム係合部５４は、両側に平行なスライド面５８が形成された状態となっている。板バネ５６は、一端が支持ブロック６０を介して最大値表示車３８に取り付けられ、この支持ブロック６０の角度を調整することにより、規正カム４０に対する板バネ５６の付勢力を調整し得るようになっている。また、最大値表示車３８の上面には規正カム４０との密着を防止するための複数（本実施例においては３個）の突部６２が形成されている。
【００４８】
　規正カム４０は、計測値表示車３６と最大値表示車３８との間に配設され、計測値表示車の回転に伴って最大値表示車３８を計測値の大きな方向に回転させ、かつ、計測最大位置で最大値表示車３８を位置決めするもので、図９にも示すように、両端が非接続状態の環状のプレートからなり、規正カム駆動、位置決め手段としての回転係合ピン６４と、係合部６６と、当接部６８と、噛合部７０とを備えている。
【００４９】
　回転係合ピン６４は、規正カム４０の一端部上面で、計測値表示車３６の回転用スリット４８対応位置に設けられ、計測値表示車３６の回転用スリット４８内に係入し、回転用スリット４８の端部に形成した溝部５０と係合することにより、計測値表示車３６の計測値の大きな方向での回転に伴って規正カム４０を回転させるようにしている。
【００５０】
　係合部６６は、最大値表示車３８のカム係合部５４のスライド面５８に対し、４点で係合し、規正カム４０を最大値表示車３８と一体に回転可能とし、かつ、スライド面５８に沿って径方向にスライド可能にしている。
【００５１】
　当接部６８は、規正カム４０の回転係合ピン６４側の一端部内側面に形成され、最大値表示車３８に設けた板バネ５６の先端と当接し、この板バネ５６により規正カム４０がカム係合部５４のスライド面５８に沿って径方向外側に付勢されるようになっている。
【００５２】
　噛合部７０は、当接部６８の反対側の外周部に形成され、押え板４２と噛み合うことにより、規正カム４０を任意の回転位置で位置決めし、この規正カム４０の位置決めにより、規正カム４０と回転方向で一体化した最大値表示車３８の位置決めを行なうようになっている。本実施例では、この噛合部７０には、所定の間隔で突出する一対の歯７２が２枚で形成され、この歯７２が押え板４２に噛み合うようになっている。
【００５３】
　押え板４２は、規正カム４０の噛合部７０対応位置に環状に配設され、かつ、図１０にも示すように、その内周面に規正カム４０の噛合部７０と噛合する噛合部７４を備えている。この押え板４２の噛合部７４には、１ピッチ毎に中抜きされた６０枚の歯７６が形成され、規正カム４０の噛合部７０に形成された一対の歯７２が、押え板４２の噛合部７４に形成した隣接する２つの歯７６に対して外側から噛合し、かつ、隣接する３つの歯７６に対して外側２つの歯７６の内側に噛合するようにすることで、１ピッチ毎に中抜きされた歯７６に対して、規正カム４０の歯７２を１ピッチ毎に係合させることが可能となる。また、このように、押え板４２の歯７６を１ピッチ毎に中抜きすることにより、押え板４２の製造が容易となり、製造コストを低く抑えることが可能となると同時に、押え板４２の歯数が６０枚でも、一周１２０分割の位置に最大値表示車３８を位置決めすることが可能である。
【００５４】
　なお、図２において、１は時計の構成部材を保持する基枠である地板、２は分針を取り付ける二番車、３は地板１に固定され、二番車２を案内する中心パイプ、４は時針のつく筒車、５は潜水時間表示針のつく潜水時間表示車、６は各車を支持する輪列受けであり、いずれも公知の働きを行う。
【００５５】
　次に、置き針表示装置の動作状態について、図３〜図６を中心に説明する。
【００５６】
　まず、図３は、スタート状態となっており、この状態で規正カム４０の回転係合ピン６４は計測値表示車３６の回転スリット４８端部に形成した溝部５０内に係合し、規正カム４０は板バネ５６の付勢力に抗して、最大値表示車３８に対し、噛合部７０が、最大値表示車３８のカム係合部５４の側面に形成したスライド面５８に沿って、径方向内方にスライドさせられた状態となっている。したがって、規正カム４０の噛合部７０は、押え板４２の噛合部７４と噛合しておらず、規正カム４０及び最大値表示車３８は回転可能な状態となっている。
【００５７】
　次に、図３の状態から潜水を開始すると、図２に示した歯車４６，４４から計測値表示車３６に回転力が伝達され、計測値表示車３６が、図３の状態から、例えば時計方向に回転し始める。すると、計測値表示車３６の溝部５０内に、規正カム４０の回転係合ピン６４が係合し、かつ、規正カム４０の噛合部７０が押え板４２の噛合部７４に対して非噛合状態となっているため、計測値表示車３６の回転に伴って、規正カム４０が時計方向に回転するとともに、この規正カム４０と、カム係合部５４及び係合部６６により、回転方向で一体化された最大値表示車３８が同時に回転を始め、所定の深さまで潜水を行なうと例えば図４に示す状態になる。
【００５８】
　次に、図４に示す水深位置から浮上を始めると、図２に示す歯車４６，４４が逆転を始め、計測値表示車３６が反時計方向に回転を始める。すると、計測値表示車３６の反時計方向への回転に伴って、計測値表示車３６の溝部５０内に係合していた規正カム４０の回転係合ピン６４が、溝部５０の傾斜押圧部５２と板バネ５６の付勢力によって、径方向外側に押圧される。この傾斜押圧部５２の回転係合ピン６４に対する押圧によって、規正カム４０の係合部６６が最大値表示車３８のカム係合部５４に形成したスライド面５８に沿ってスライドし、規正カム４０が最大値表示車３８上でスライドして、規正カム４０の噛合部７０が押え板４２の噛合部７４と噛合し、規正カム４０がその位置で位置決めされる。そして、この規正カム４０の位置決めに伴って、規正カム４０と回転方向で一体化した最大値表示車３８が同時に位置決めされることとなる。この規正カム４０の位置決めに際しては、最大値表示車３８に設けた板バネ５６により、規正カム４０を径方向外側に付勢しているため、位置決めが容易に行われ、しかも傾斜押圧部５２の傾斜によって位置ずれをおこすことなく正確な位置で位置決めされることとなる。また、規正カム４０は、最大値表示車３８に設けた複数の突部６２によって、最大値表示車３８との密着が防止されているため、確実にスライドできることとなる。そして、この状態からある程度の深さまで浮上すると、例えば図５に示すように、規正カム４０の回転係合ピン６４が、計測値表示車３６の回転用スリット４８内に移動し、この回転用スリット４８によって規正カム４０及び最大値表示車３８はそのままの状態で、計測値表示車３６のみが反時計方向に回転する状態となる。
【００５９】
　次いで、図５の状態から、現在の回転係合ピン６４のある最大水深位置よりも深く潜水すると、計測値表示車３６は時計方向に回転を始め、計測値表示車３６の溝部５０内に規正カム４０の回転係合ピン６４が係合して、規正カム４０の噛合部７０と押え板４２の噛合部７４の係合が解除され、その水深位置まで規正カム４０及び最大値表示車３８が回転され、その深さ位置より浮上を開始すると、その位置で、前述と同様に、規正カム４０と押え板４２の噛合が行われ、規正カム４０及び最大値表示車３８がその位置に置かれて、最大計測値を表示したまま計測値表示車３６のみが反時計方向に回転し始めることとなる。
【００６０】
　そして、図５の状態から完全に浮上すると、計測値表示車３６は、規正カム４０及び最大値表示車３８を最大表示位置に残したまま、０値まで反時計方向に回転して、図６に示す状態となる。
【００６１】
　このように、１つのモータで計測値表示車３６及び最大値表示車３８を回転させ、かつ最大値表示車３８を最大値表示位置で位置決めすることができ、モータの使用を最少限にして製品コストを抑えることが可能となる。
【００６２】
　また、最大値表示車３８の位置決めは、この最大値表示車３８の回転方向で一体とされた規正カム４０と押え板４２とを噛合させることにより確実に行われ、振動、落下等による位置ずれを確実に防止することが可能となる。
【００６３】
　図１１は他の実施例に係る置き針表示装置を示す平面説明図である。
【００６４】
　回転係合ピン８０の平面形状においてその一方の側に切り欠き８１があり、溝５０の内側の面には、切り欠き８１と当接する突っ張り防止部８２がある。最大値表示車３８の位置決めがなされる際に、規正カム４０が押さえ板４２と噛合しようとすると、歯の先端同士が突っ張り合って、噛合しない場合がある。このような場合には、計測値表示車３６が逆転をし始めると、突っ張り防止部８２が回転係合ピン８０の切り欠き８１に係合して噛合の突っ張りを解除し、改めて、噛合する様になっている。
【００６５】
　他の構成及び作用は前記実施例と同様につき説明を省略する。
【００６６】
　次に、実施例により本発明のアナログ計測器の計測システム及び表示方法の詳細を示す。図１３は本発明のメモリー付きアナログ計測器の一実施例を示すブロック図である。
【００６７】
　センサー１０１はＡ／Ｄコンバータ１０２を介して水深値換算手段１０３に接続されており、水深値換算手段１０３はＡ／Ｄコンバータ１０２の出力に応じた水深計測値を算出し、常に最大の水深計測値を最大値記憶手段１１２に記憶し、モータ制御手段１２１により駆動源としての第１のモータ１０５を制御し、第１の輪列１０６を介して計測値表示針１０７により水深計測値を表示し、かつ、最大値表示針１０８により最大水深値を表示する。
【００６８】
　演算手段１０４では、水深値換算手段１０３により算出された水深計測値と計時手段１１０により計時された時間を基に平均水深値を計算し、計算結果記憶手段１１３に平均水深値を記憶し、モータ制御手段１２１に接続される。
【００６９】
　計時手段１１０は潜水時間を計時し、常に計時時間を時間情報記憶手段１１１に記憶し、モータ制御手段１２１により第２の駆動源としての第２のモータ１１４を制御し、第２の輪列１１５を介して時間情報表示針１１６により潜水時間を表示する。
【００７０】
　時刻計時手段１１９は時刻を計時し、水深計測が開始されると計測開始時刻を計測開始時刻記憶手段１２０に記憶し、モータ制御手段１２１により第３の駆動源としての第３のモータ１２２を制御し、第３の輪列１２３を介して時刻表示針１２４により計測開始時刻を表示する。
【００７１】
　モータ動作中判別制御手段１０９はモータが動作中か否かを判別し、水深計測を行うか否かの判断をし、Ａ／Ｄコンバータ１０２を制御する。
【００７２】
　入力制御手段１１８は、リューズ１１７の状態により水深計測を行うか否かの判断をし、Ａ／Ｄコンバータ１０２を制御する。
【００７３】
　図１２は図１３のメモリー付きアナログ計測器の一実施例を示すハードウェア構成図である。
【００７４】
　マイクロコンピュータ９０１はＡ／Ｄ変換回路９０３、ＲＡＭ９０４、ＣＯＲＥ　ＣＰＵ９０５、ＲＯＭ９０６、１Ｈｚ割込みを制御するタイマー９１３、モータパルス等の運針状態を制御するモータ運針制御回路９０７、アラーム音を作り出すサウンドジェネレータ９０８、モータドライバー９０９及び外部からの信号を制御する入力制御回路９１２を内臓しており、全てバスで接続されている。
【００７５】
　また、マイクロコンピュータ９０１はセンサー９０２、表示指針９１０、スピーカ９１１及び入力手段を構成するプッシュスイッチＡ（ＰＳＷ−Ａ）９１４、プッシュスイッチＢ（ＰＳＷ−Ｂ）９１５、プッシュスイッチＣ（ＰＳＷ−Ｃ）９１６、リューズスイッチ０段目（ＲＭ０）９１７、リューズスイッチ１段目（ＲＭ１）９１８、リューズスイッチ２段目（ＲＭ２）９１９と接続している。センサー９０２はＡ／Ｄ変換回路９０３に接続している。表示指針９１０はモータドライバー９０９に接続している。スピーカ９１１はサウンドジェネレータ９０８に接続している。プッシュスイッチＡ（ＰＳＷ−Ａ）９１４、プッシュスイッチＢ（ＰＳＷ−Ｂ）９１５、プッシュスイッチＣ（ＰＳＷ−Ｃ）９１６、リューズスイッチ０段目（ＲＭ０）９１７、リューズスイッチ１段目（ＲＭ１）９１８、リューズスイッチ２段目（ＲＭ２）９１９は入力制御回路９１２に接続し、通常の表示モードと他の表示モードを選択できるようになっている。
【００７６】
　図１７のフローチャートを用いて図１３の説明をする。
【００７７】
　１Ｈｚの割込み後、リューズが０段目か否かを判別し（ステップ５０１）、０段目でなければ水深計測を中止し（ステップ５０２）、プログラムを終了する。０段目であれば第１〜第３の各モータが動作中か否かを判別し（ステップ５０３）、動作中であれば水深計測を行わずステップ５１０へ飛ぶ。動作中でなければ水深計測を行い（ステップ５０４）、第３のモータが動作禁止中か否かを判別する（ステップ５０５）。禁止中であればそのまま次ステップへ進み、禁止中でなければ第３のモータの動作を禁止し（ステップ５０６）、次ステップへ進む。ステップ５０７では今回計測値が前回計測値よりも大きいか比較し（ステップ５０７）、大きくなければ第１のモータにパルスをセットし（ステップ５０９）、大きければ最大値記憶手段に今回計測値を最大値として記憶させて（ステップ５０８）から、第１のモータにパルスをセットする（ステップ５０９）。ステップ５１０では水深計測時間を計数し、その計測時間を記憶し（ステップ５１１）、モータ２にパルスをセットする（ステップ５１２）。ステップ５１３では計測値と計測時間を基に平均水深を計算し、その平均水深値を計算結果記憶手段に記憶し（ステップ５１４）、プログラムを終了する。
【００７８】
　図１４は本発明のメモリー及びメモリーリコール及びメモリーリコール時確認音付きアナログ計測器の一実施例を示すブロック図である。
【００７９】
　スイッチ２０１は入力制御手段２０２を介して外部入力回数一定値以上検出手段２０３に接続されており、外部入力回数一定値以上検出手段２０３はスイッチ２０１からの入力回数を計数し、確認音制御手段２０５を介して確認音鳴鐘手段２０６でその計数値に応じた確認音を鳴鐘しつつ、記憶値選択手段２０４でその計数値に応じた記憶値を選択し、最大値記憶手段２０７と計算結果記憶手段２０８と時間情報記憶手段２０９と計測開始時刻記憶手段２１０からそれぞれの記憶値を呼び出し、モータ制御手段２１１により第１〜第３の各モータを制御する。第１のモータ２１２は第１の輪列２１３を介して計測値表示針２１４により水深計測値を表示し、かつ、最大値表示針１０８により最大水深値を表示する。第２のモータ２１６は第２の輪列２１７を介して時間情報表示針２１８により潜水時間を表示する。第３のモータ２１９は第３の輪列２２０を介して時刻表示針２２１により計測開始時刻を表示する。
【００８０】
　外部入力回数一定値以上検出手段２０３でスイッチ２０１からの入力回数が設定値を越えたと検出した場合に、距離計算手段２２２により、計測値表示針２１４と時間情報表示針２１８それぞれの現在表示位置から１２時位置までの距離と、時刻表示針２２１の現在表示位置から現時刻位置までの距離を計算し、モータ制御手段２１１により第１〜第３の各モータを算出された距離分のみ動作させる。
【００８１】
　図１４をＣＰＵ方式により実現すると図１２と同様のシステムとなり、ソフト変更のみで本発明のメモリー及びメモリーリコール及びメモリーリコール時確認音付きアナログ計測器を実現できる。
【００８２】
　図１８のフローチャートを用いて図１４の説明をする。
【００８３】
　Ｋｅｙ割込み後、ＰＳＷ−Ｂの入力か否かを判別し（ステップ６０１）、ＰＳＷ−Ｂの入力でなければプログラムを終了し、ＰＳＷ−Ｂの入力であれば入力回数ｎを計数（ステップ６０２）する。潜水情報のメモリー数を２本とすると、ステップ６０３でｎ＝３か否かを判別し、ｎ＝３であれば確認音‘ピー’を鳴鐘し（ステップ６１５）、計測値表示針を正転方向に１２時位置まで自走させ（ステップ６１７）、時間情報表示針を正転方向に１２時位置まで自走させ（ステップ６１８）、時刻表示針を正転方向に現在時刻位置まで自走させ（ステップ６１９）、プログラムを終了する。ｎ＝３でなければｎ＝２か否かを判別し（ステップ６０４）、ｎ＝２であれば確認音‘ピピッ’を鳴鐘し（ステップ６１６）、ｎ＝２でなければ確認音‘ピッ’を鳴鐘（ステップ６０５）する。ステップ６０６でｎ番目の記憶手段から最大水深値を呼び出し、第１のモータに正転パルスをセットし（ステップ６０７）、第１のモータの自走終了後（ステップ６０８）、平均水深値を呼び出し（ステップ６０９）、第１のモータに逆転パルスをセットし（ステップ６１０）、潜水時間を呼び出し（ステップ６１１）、モータ２に正転パルスをセットし（ステップ６１２）、潜水開始時刻を呼び出し（ステップ６１３）、モータ３に正転パルスをセットし（ステップ６１４）、プログラムを終了する。
【００８４】
　図１５は本発明の記憶値初期化付きアナログ計測器の一実施例を示すブロック図である。
【００８５】
　スイッチ３０１から入力制御手段３０２を介して初期化手段３０３に命令が来ると、最大値記憶手段３０４と計算結果記憶手段３０５と時間情報記憶手段３０６と計測開始時刻記憶手段３０７のそれぞれの記憶値を消去し、任意のデータを各記憶手段３０４，３０５，３０６，３０７にインストールする。
【００８６】
　図１５をＣＰＵ方式により実現すると図１２と同様のシステムとなり、ソフト変更のみで本発明の記憶値初期化付きアナログ計測器を実現できる。
【００８７】
　図１９のフローチャートを用いて図１５の説明をする。
【００８８】
　１Ｈｚの割込み後、ＰＳＷ−Ａ＋Ｂの入力（プッシュスイッチＡとプッシュスイッチＢの同時入力）か否かを判別し（ステップ７０１）、ＰＳＷ−Ａ＋Ｂの入力でなければプログラムを終了し、ＰＳＷ−Ａ＋Ｂの入力であれば最大値記憶手段に任意の値（ダミーデータ）を書き込み（ステップ７０２）、計算結果記憶手段に任意の値（ダミーデータ）を書き込み（ステップ７０３）、時間情報記憶手段に任意の値（ダミーデータ）を書き込み（ステップ７０４）、計測開始時刻記憶手段に任意の値（ダミーデータ）を書き込み（ステップ７０５）、プログラムを終了する。
【００８９】
　図１６は本発明の最大値表示針及び計測値表示針の基準位置設定装置付きアナログ計測器の一実施例を示すブロック図である。
【００９０】
　スイッチ４０１は入力制御手段４０２を介して基準位置設定手段４０３に接続されており、基準位置設定手段４０３からの命令により、モータ制御手段４０４は第１のモータ４０５を制御し、輪列４０６を介して計測値表示針４０７と最大値表示針４０８を運針させ、計測値表示針４０７と最大値表示針４０８の基準位置を設定する。
【００９１】
　図１６をＣＰＵ方式により実現すると図１２と同様のシステムとなり、ソフト変更のみで本発明の最大値表示針及び計測値表示針の基準位置設定装置付きアナログ計測器を実現できる。
【００９２】
　図２０のフローチャートを用いて図１６の説明をする。
【００９３】
　Ｋｅｙ割込み後、リューズＲＭが０段目か否かを判別し（ステップ８０１）、０段目であればプログラムを終了する。０段目でなければ最大値表示針が１２時位置に在るか否かを判別し（ステップ８０２）、１２時位置に在ればプログラムを終了する。１２時位置になければ、計測値表示針を正転方向に１２時位置まで自走させ（ステップ８０３）、プログラムを終了する。
【００９４】
　本発明は、前記実施例に限定されるものではなく、本発明の要旨の範囲内において種々の変形実施が可能である。
【００９５】
　例えば、前記実施例においては、置き針表示装置を水深計に用いた場合について説明したが、この場合に限らず、気圧計、温度計、高度計などにも用いることが可能である。
【００９６】
　また、前記実施例においては、現在値表示と最大値表示を行なう場合について説明したが、この場合に限らず、例えば現在値表示と最小値表示を行なう場合にも用いることが可能である。
【００９７】
　さらに、前記実施例においては、駆動源としてモータを用いる場合について説明したが、この例に限らず、ゼンマイバネなどを用いた駆動源を用いることも可能である。
【００９８】
　また、カム付勢手段としては、板ばねに限らず、つる巻きばねその他の付勢手段を用いることも可能である。
【００９９】
　さらに、突部６２は最大値表示車に設ける場合に限らず、規正カム側に設けることも可能である。
【０１００】
　また、前記実施例においては、押え板の噛合部は６０枚で１ピッチ毎に中抜きされた歯形の例を示したが、２ピッチ以上毎に中抜きされた場合でも同様の効果が得られるものである。
【図面の簡単な説明】
【０１０１】
【図１】本発明の一実施例に係る置き針表示装置を用いたダイバーズウオッチを示す正面図である。
【図２】図１の部分断面図である。
【図３】図２の置き針表示装置のスタート状態における平面説明図である。
【図４】図３の状態から一定深さまで潜水した状態における置き針表示装置の平面説明図である。
【図５】図４の状態から途中まで浮上した状態を示す置き針表示装置の平面説明図である。
【図６】図５の状態から完全に浮上した状態を示す置き針表示装置の平面説明図である。
【図７】計測値表示車の平面図である。
【図８】最大値表示車の平面図である。
【図９】規正カムの平面図である。
【図１０】押え板の平面図である。
【図１１】本発明の別の実施例を示す平面説明図である。
【図１２】本発明のアナログ計測器の一実施例を示すハードウェア構成図である。
【図１３】図１２のメモリー付きアナログ計測器のブロック図である。
【図１４】本発明の他の実施例を示すメモリー及びメモリーリコール及びメモリーリコール時確認音付きアナログ計測器のブロック図である。
【図１５】本発明の他の実施例を示す記憶値初期化付きアナログ計測器のブロック図である。
【図１６】本発明の他の実施例を示す最大値表示針及び計測値表示針の基準位置設定装置付きアナログ計測器のブロック図である。
【図１７】図１３のメモリー付きアナログ計測器のフローチャートである。
【図１８】図１４のメモリー及びメモリーリコール及びメモリーリコール時確認音付きアナログ計測器のフローチャートである。
【図１９】図１５の記憶値初期化付きアナログ計測器のフローチャートである。
【図２０】図１６の最大値表示針及び計測値表示針の基準位置設定装置付きアナログ計測器のフローチャートである。
【符号の説明】
【０１０２】
　２８　水深計、　３０　最大水深表示針、　３６　計測値表示車、　３８　最大値表示車、　４０　規正カム、　４２　押え板、　４８　回転用スリット、　５０　溝部、　５２　傾斜押圧部、　５４　カム係合部、　５６　板バネ、　５８　スライド面、　６２　突部、　６４　回転係合ピン、　６６　係合部、　６８　当接部、　７０，７４　噛合部、　７２，７６　歯、　８０　回転係合ピン、　８２　突っ張り防止部、　１１２，２０７，３０４　最大値記憶手段、　１１３，２０８，３０５　計算結果記憶手段、　１１１，２０９，３０６　時間情報記憶手段、　１２０，２１０，３０７　計測開始時刻記憶手段、　１０８，２１５，４０８　最大値表示針、　１０４　演算手段、　１０９　モータ動作中判別制御手段、　１１８，２０２，３０２，４０２　入力制御手段、　１２１，２１１　モータ制御手段、　２０３　外部入力回数一定値以上検出手段、　２０４　記憶値選択手段、　２０５　確認音制御手段、　２２２　距離計算手段、　３０３　初期化手段、　４０３　基準位置設定手段
【図１】
2004125806.tif 000003
【図２】
2004125806.tif 000004
【図３】
2004125806.tif 000005
【図４】
2004125806.tif 000006
【図５】
2004125806.tif 000007
【図６】
2004125806.tif 000008
【図７】
2004125806.tif 000009
【図８】
2004125806.tif 000010
【図９】
2004125806.tif 000011
【図１０】
2004125806.tif 000012
【図１１】
2004125806.tif 000013
【図１２】
2004125806.tif 000014
【図１３】
2004125806.tif 000015
【図１４】
2004125806.tif 000016
【図１５】
2004125806.tif 000017
【図１６】
2004125806.tif 000018
【図１７】
2004125806.tif 000019
【図１８】
2004125806.tif 000020
【図１９】
2004125806.tif 000021
【図２０】
2004125806.tif 000022